(57)【要約】  ワイファイ（Ｗｉ−Ｆｉ）アクセスポイント（ＡＰ）は、ブロードキャストまたはプローブ応答メッセージ内にプロトコル能力情報を含むことによって、それらのＯＭＡ−ＤＭおよびＳＯＡＰ−ＸＭＬプロトコルの両方のサポートを広告することができる。前記プロトコル能力情報は、前記Ｗｉ−Ｆｉ  ＡＰがＯＭＡ−ＤＭおよびＳＯＡＰ−ＸＭＬプロトコルの両方をサポートすることを指示するＯＳＵ方法リストサブフィールドを含むことができる。前記ブロードキャスト・メッセージは、アクセス・ネットワーク・クエリ・プロトコル（ＡＮＱＰ）メッセージ、ビーコンメッセージ、または他の包括的アドバータイズメント・サービス（ＧＡＳ）メッセージであってもよい。Ｗｉ−Ｆｉ  ＡＰは、ブロードキャストまたはプローブ応答メッセージ内にＷＬＡＮアクセスタイプ指示を含むことによってネットワークオペレータによって優先されるＷＬＡＮタイプを指定することもできる。前記ＷＬＡＮアクセスタイプ指示は、パスポイント、非パスポイント、ベンダ指定ＷＬＡＮを選択するネットワークオペレータを指定してもよい。前記ＷＬＡＮアクセスタイプ指示は、アクセスネットワーク発見および選択機能（ＡＮＤＳＦ）管理オブジェクト（ＭＯ）に含まれてもよい。
2015521823.tif 000002
【特許請求の範囲】
【請求項１】
ワイヤレスネットワークにおけるユーザ・サブスクリプションおよびプロビジョニングのための方法であって、前記方法は、
ワイファイ（Ｗｉ−Ｆｉ）アクセスポイント（ＡＰ）によって、１つ以上の移動局へプロトコル能力情報を具備するメッセージを伝送するステップを含み、
前記プロトコル能力情報が、前記１つ以上の移動局のためのネットワークアクセスを確立する時に、前記Ｗｉ−Ｆｉ  ＡＰが、オープン・モバイル・アライアンス−デバイス・マネジメント（ＯＭＡ−ＤＭ）プロトコルおよびシンプル・オブジェクト・アクセス・プロトコル−エクステンシブル・マークアップ・ランゲージ（ＳＯＡＰ−ＸＭＬ）プロトコルの両方を使用することが可能なことを示す、方法。
【請求項２】
前記プロトコル能力情報が、オンライン・サイン・アップ（ＯＳＵ）プロシージャ中に前記ＯＭＡ−ＤＭプロトコルと前記ＳＯＡＰ−ＸＭＬプロトコルとの両方のサポートをすることが可能な前記Ｗｉ−Ｆｉ  ＡＰを指定する、請求項１に記載の方法。
【請求項３】
前記プロトコル能力情報が、前記ＯＭＡ−ＤＭプロトコルと前記ＳＯＡＰ−ＸＭＬプロトコルとの両方に割り当てられた整数値を指定するＯＳＵサービス記述領域を具備する、請求項１に記載の方法。
【請求項４】
前記メッセージが、アクセス・ネットワーク・クエリ・プロトコル（ＡＮＱＰ）メッセージ、ビーコンメッセージ、包括的アドバータイズメント・サービス（ＧＡＳ）メッセージ、またはプローブ応答メッセージである、請求項１に記載の方法。
【請求項５】
前記Ｗｉ−Ｆｉ  ＡＰによって、前記ＯＭＡ−ＤＭプロトコルを使用する第１の移動局のための第１のＯＳＵプロシージャを実施するステップと、
前記Ｗｉ−Ｆｉ  ＡＰによって、前記ＳＯＡＰ−ＸＭＬプロトコルを使用する第２の移動局のための第２のＯＳＵプロシージャを実施するステップと、
をさらに含む、請求項１に記載の方法。
【請求項６】
前記第１の移動局が、ＳＯＡＰ−ＸＭＬ能力が不足している間、ＯＭＡ−ＤＭ能力を具備し、前記第２の移動局が、ＯＭＡ−ＤＭ能力が不足している間、ＳＯＡＰ−ＸＭＬ能力を具備する、請求項１に記載の方法。
【請求項７】
プロセッサと、
前記プロセッサによる実行のためのプログラムを記録するコンピュータ可読記憶媒体と、を具備し、
前記プログラムが、１つ以上の移動局へプロトコル能力情報を具備するメッセージを伝送するための命令を含み、
前記プロトコル能力情報が、前記１つ以上の移動局のためのネットワークアクセスを確立する時に、前記Ｗｉ−Ｆｉ  ＡＰが、オープン・モバイル・アライアンス−デバイス・マネジメント（ＯＭＡ−ＤＭ）プロトコルおよびシンプル・オブジェクト・アクセス・プロトコル−エクステンシブル・マークアップ・ランゲージ（ＳＯＡＰ−ＸＭＬ）プロトコルの両方を使用することが可能なことを示す、ワイファイ（Ｗｉ−Ｆｉ）アクセスポイント（ＡＰ）。
【請求項８】
前記プロトコル能力情報が、オンライン・サイン・アップ（ＯＳＵ）プロシージャ中に前記ＯＭＡ−ＤＭプロトコルと前記ＳＯＡＰ−ＸＭＬプロトコルとの両方のサポートをすることが可能な前記Ｗｉ−Ｆｉ  ＡＰを指定する、請求項７に記載のワイファイアクセスポイント。
【請求項９】
前記メッセージが、前記ＯＭＡ−ＤＭプロトコルと前記ＳＯＡＰ−ＸＭＬプロトコルとの両方に割り当てられた整数値を指定するＯＳＵサービス記述領域を具備する、請求項７に記載のワイファイアクセスポイント。
【請求項１０】
前記メッセージが、アクセス・ネットワーク・クエリ・プロトコル（ＡＮＱＰ）メッセージ、ビーコンメッセージ、包括的アドバータイズメント・サービス（ＧＡＳ）メッセージ、またはプローブ応答メッセージである、請求項７に記載のワイファイアクセスポイント。
【請求項１１】
ワイヤレスネットワークにおけるユーザ・サブスクリプションおよびプロビジョニングのための方法であって、前記方法は、
移動局によってワイファイ（Ｗｉ−Ｆｉ）アクセスポイント（ＡＰ）からメッセージを受信するステップを含み、
前記メッセージが、前記１つ以上の移動局のためのネットワークアクセスを確立する時に、前記Ｗｉ−Ｆｉ  ＡＰが、オープン・モバイル・アライアンス−デバイス・マネジメント（ＯＭＡ−ＤＭ）プロトコルおよびシンプル・オブジェクト・アクセス・プロトコル−エクステンシブル・マークアップ・ランゲージ（ＳＯＡＰ−ＸＭＬ）プロトコルの両方を使用することが可能なことを示すプロトコル能力情報を含む、方法。
【請求項１２】
前記プロトコル能力情報が、オンライン・サイン・アップ（ＯＳＵ）プロシージャ中に前記ＯＭＡ−ＤＭプロトコルと前記ＳＯＡＰ−ＸＭＬプロトコルとの両方のサポートをすることが可能な前記Ｗｉ−Ｆｉ  ＡＰを指定する、請求項１１に記載の方法。
【請求項１３】
前記メッセージが、前記ＯＭＡ−ＤＭプロトコルと前記ＳＯＡＰ−ＸＭＬプロトコルとの両方に割り当てられた整数値を指定するＯＳＵサービス記述領域を具備する、請求項１１に記載の方法。
【請求項１４】
前記メッセージが、アクセス・ネットワーク・クエリ・プロトコル（ＡＮＱＰ）メッセージ、ビーコンメッセージ、包括的アドバータイズメント・サービス（ＧＡＳ）メッセージ、またはプローブ応答メッセージである、請求項１１に記載の方法。
【請求項１５】
プロセッサと、
前記プロセッサによる実行のためのプログラムを記録するコンピュータ可読記憶媒体と、を具備し、
前記プログラムが、ワイファイ（Ｗｉ−Ｆｉ）アクセスポイント（ＡＰ）からメッセージを受信するための命令を含み、
前記メッセージが、前記Ｗｉ−Ｆｉ  ＡＰが、オンライン・サイン・アップのためにオープン・モバイル・アライアンス−デバイス・マネジメント（ＯＭＡ−ＤＭ）プロトコルとシンプル・オブジェクト・アクセス・プロトコル−エクステンシブル・マークアップ・ランゲージ（ＳＯＡＰ−ＸＭＬ）プロトコルとの両方をサポートすることが可能なことを示す、プロトコル能力情報を含む、移動局。
【請求項１６】
Ｗｉ−Ｆｉローカル・エリア・ネットワーク（ＷＬＡＮ）発見のための方法であって、前記方法は、
前記ＵＥが、カバレッジエリア内へローミングする時、ワイファイ（Ｗｉ−Ｆｉ）アクセスポイント（ＡＰ）によって、アクセスネットワーク発見および選択機能（ＡＮＤＳＦ）管理オブジェクト（ＭＯ）をユーザ機器（ＵＥ）へ送信するステップを含み、
複数のＷＬＡＮが、前記カバレッジエリアにおいてアクセス可能であり、かつ、
前記ＡＮＤＳＦ  ＭＯが、ＵＥ接続のためにネットワークオペレータによって優先された少なくとも１つのタイプのＷＬＡＮを指定するＷＬＡＮアクセスタイプ指示を含む、方法。
【請求項１７】
パスポイントＷＬＡＮおよび非パスポイントＷＬＡＮが、前記カバレッジエリアにおいてアクセス可能であり、かつ、前記ＷＬＡＮアクセスタイプ指示が、前記ネットワークオペレータによって優先された前記パスポイントＷＬＡＮ、または、前記ネットワークオペレータによって優先された前記非パスポイントＷＬＡＮを指定する、請求項１６に記載の方法。
【請求項１８】
複数のベンダ指定ＷＬＡＮが、前記カバレッジエリアにおいてアクセス可能であり、かつ、前記ＷＬＡＮアクセスタイプ指示が、前記ネットワークオペレータによって優先されたベンダ指定ＷＬＡＮを指定する、請求項１６に記載の方法。
【請求項１９】
前記ＷＬＡＮアクセスタイプ指示が、異なるＷＬＡＮタイプに対して異なる優先度を指定する、請求項１６に記載の方法。
【請求項２０】
プロセッサと、
前記プロセッサによる実行のためのプログラムを記録するコンピュータ可読記憶媒体と、を具備し、
前記プログラムが、前記ＵＥが、カバレッジエリア内へローミングする時、アクセスネットワーク発見および選択機能（ＡＮＤＳＦ）管理オブジェクト（ＭＯ）をユーザ機器（ＵＥ）へ送信するための命令を含み、
複数のＷＬＡＮが、前記カバレッジエリアにおいてアクセス可能であり、かつ、
前記ＡＮＤＳＦ  ＭＯが、ＵＥ接続のためにネットワークオペレータによって優先された少なくとも１つのタイプのＷＬＡＮを指定するＷＬＡＮアクセスタイプ指示を含む、ワイファイ（Ｗｉ−Ｆｉ）アクセスポイント（ＡＰ）。
【請求項２１】
パスポイントＷＬＡＮおよび非パスポイントＷＬＡＮが、前記カバレッジエリアにおいてアクセス可能であり、かつ、前記ＷＬＡＮアクセスタイプ指示が、前記ネットワークオペレータによって優先された前記パスポイントＷＬＡＮ、または、前記ネットワークオペレータによって優先された前記非パスポイントＷＬＡＮを指定する、請求項２０に記載のワイファイアクセスポイント。
【請求項２２】
複数のベンダ指定ＷＬＡＮが、前記カバレッジエリアにおいてアクセス可能であり、かつ、前記ＷＬＡＮアクセスタイプ指示が、前記ネットワークオペレータによって優先されたベンダ指定ＷＬＡＮを指定する、請求項２０に記載のワイファイアクセスポイント。
【請求項２３】
前記ＷＬＡＮアクセスタイプ指示が、異なるＷＬＡＮタイプに対して異なる優先度を指定する、請求項２０に記載のワイファイアクセスポイント。
【発明の詳細な説明】
【技術分野】
【０００１】
本発明の請求の範囲は発明の名称を「ネットワーク選択のためのシステムおよび方法」とする２０１２年７月３日に出願された米国仮特許出願第６１／６６７，６５６号と、発明の名称を「サブスクリプションおよびポリシー・プロビジョニングのためのシステムおよび方法」とする２０１２年７月６日に出願された米国仮特許出願第６１／６６８，９０８号と、発明の名称を「サブスクリプションおよびポリシー・プロビジョニングのためのシステムおよび方法」とする２０１３年７月２日に出願された米国非仮特許出願第１３／９３３，３５８号とに基づく優先権を主張し、それら全体が再現されるかのように参照によって本明細書に組みこまれる。
【０００２】
本発明は、ワイヤレス通信に関するとともに、特定の態様において、サブスクリプションおよびポリシー・プロビジョニングのためのシステムおよび方法に関する。
【背景技術】
【０００３】
今日のモバイルデバイスは、本明細書に参照によって組み込まれる「Ａｌｌｉａｎｃｅ  Ｈｏｔｓｐｏｔ  ２．０  ｔｅｃｈｎｉｃａｌ  ｓｐｅｃｉｆｉｃａｔｉｏｎ  ｒｅｌｅａｓｅ  ２  ｖｅｒｓｉｏｎ  １．０２  （Ｈｏｔｓｐｏｔ  ２．０，  ｒｅｌ．  ２，  ｖ１．０２）」によって定義されるようなワイファイ（Ｗｉ−Ｆｉ）ネットワークへアクセスする能力を有することが多い。一般に、モバイルデバイスは、Ｗｉ−Ｆｉネットワークへのアクセスを得るためにオンライン・サイン・アップ（ＯＳＵ）プロセスを使用することができる。前記ＯＳＵプロセスは、前記モバイルデバイスが前記ネットワークへ加入するばかりではなく、安全なアクセスのためのネットワークアクセス資格情報も提供されることを可能にしてもよい。異なるプロトコルは、移動局ばかりではなく、基地局の能力に依存するＯＳＵのために使用されてもよい。そのため、モバイルデバイスが、Ｗｉ−Ｆｉネットワークへアクセスするために、ＯＳＵプロトコルを広告するとともに選択するための機構が、必要となる。
【発明の概要】
【発明が解決しようとする課題】
【０００４】
サブスクリプションおよびポリシー・プロビジョニングのためのシステムおよび方法を記載する本開示の態様によって、技術的な利点が、通常、成し遂げられる。
【課題を解決するための手段】
【０００５】
ある態様によると、ワイヤレスネットワークにおけるユーザ・サブスクリプションおよびプロビジョニングのための方法が、提供される。この例において、前記方法は、１つ以上の移動局へプロトコル能力情報を含むメッセージを送信するステップを有する。前記プロトコル能力情報は、前記１つ以上の移動局のためのネットワークアクセスを確立する時に、Ｗｉ−Ｆｉ  ＡＰが、オープン・モバイル・アライアンス−デバイス・マネジメント（ＯＭＡ−ＤＭ）プロトコルおよびシンプル・オブジェクト・アクセス・プロトコル−エクステンシブル・マークアップ・ランゲージ（ＳＯＡＰ−ＸＭＬ）プロトコルの両方を使用することが可能なことを示す。この方法を実施するための装置も、提供される。
【０００６】
別の態様によれば、別のワイヤレスネットワークにおけるユーザ・サブスクリプションおよびプロビジョニングのための方法が、提供される。この例において、前記方法は、ワイファイ（Ｗｉ−Ｆｉ）アクセスポイント（ＡＰ）からブロードキャスト・メッセージを受信するステップを含む。前記ブロードキャスト・メッセージは、前記１つ以上の移動局のためのネットワークアクセスを確立する時に、Ｗｉ−Ｆｉ  ＡＰが、オープン・モバイル・アライアンス−デバイス・マネジメント（ＯＭＡ−ＤＭ）プロトコルおよびシンプル・オブジェクト・アクセス・プロトコル−エクステンシブル・マークアップ・ランゲージ（ＳＯＡＰ−ＸＭＬ）プロトコルの両方を使用することが可能なことを示すプロトコル能力情報を含む。この方法を実施するための装置も、提供される。
【０００７】
さらに別の実施形態によると、Ｗｉ−Ｆｉローカル・エリア・ネットワーク（ＷＬＡＮ）発見のための方法が、提供される。この例において、前記方法は、前記ＵＥが、カバレッジエリアへローミングする時、アクセスネットワーク発見および選択機能（ＡＮＤＳＦ）管理オブジェクト（ＭＯ）をユーザ機器（ＵＥ）へ送信するステップを含む。前記ＡＮＤＳＦ  ＭＯは、ＵＥ接続のためにネットワークオペレータによって優先された少なくとも１つのタイプのＷＬＡＮを指定するＷＬＡＮアクセスタイプ指示を含む。この方法を実施するための装置も、提供される。
【０００８】
本発明およびその利点のより完全な理解のために、以降の説明は、添付の図面と合わせて参照される。
【図面の簡単な説明】
【０００９】
【図１】図１は、データ通信のためのワイヤレスネットワークの図を示す。
【図２】図２は、ＯＳＵ構造の図を示す。
【図３】図３は、ユーザ・サブスクリプションおよびプロビジョニングを実施するための方法の実施形態の流れ図を示す。
【図４】図４は、ユーザ・サブスクリプションおよびプロビジョニングを実施するための方法の流れ図を示す。
【図５】図５は、ＯＳＵ方法リストサブフィールド値のテーブルを示す。
【図６】図６は、ＯＳＵプロバイダ・フィールドの別の実施形態の図を示す。
【図７】図７は、ＯＳＵプロバイダ・フィールドの実施形態の図を示す。
【図８】図８は、ＡＮＱＰメッセージの実施形態の図を示す。
【図９】図９は、ＡＮＱＰメッセージの別の実施形態の図を示す。
【図１０】図１０は、インターフェースを通じてサーバと相互作用する端末を示す図である。
【図１１】図１１は、インターフェースを通じてホーム・サーバおよびビジッティング・サーバと相互作用する端末の図を示す。
【図１２】図１２は、通信デバイスの実施形態のブロック図を示す。
【図１３】図１３は、処理システムの実施形態のブロック図を示す。
【発明を実施するための形態】
【００１０】
別途指示されない限り、異なる図面における対応する番号および記号は、通常、対応する部分を参照する。前記図面は、実施形態の関連する態様を明示するために描かれるとともに、必ずしも一定の縮尺で描かれてはいない。
【００１１】
現在の好ましい実施形態の作成および使用について以下で詳細に説明する。しかしながら、本発明は、多種多様な特定の状況に置いて具体化することができる多くの適用可能な発明の概念を提供することを理解すべきである。説明される特定の実施形態は、単に本発明を作成および使用するための特定の方法の例示に過ぎず、かつ本発明の範囲を限定しない。
【００１２】
Ｗｉ−Ｆｉアクセスポイント（ＡＰ）およびモバイルデバイスは、一般に、オープン・モバイル・アライアンス（ＯＭＡ）−デバイス・マネジメント（ＯＭＡ−ＤＭ）プロトコル、または、シンプル・オブジェクト・アクセス・プロトコル（ＳＯＡＰ）−エクステンシブル・マークアップ・ランゲージ（ＳＯＡＰ−ＸＭＬ）プロトコルのいずれかを使用するＯＳＵを実施する。ＯＳＵのために使用される前記プロトコルは、前記移動局および／またはＷｉ−Ｆｉ  ＡＰの能力に依存してもよい。例えば、ＳＯＡＰ−ＸＭＬを使用可能な移動局が、ＳＯＡＰ−ＸＭＬプロトコルをサポートするＷｉ−Ｆｉ  ＡＰを探す間、ＯＭＡ−ＤＭを使用可能な移動局は、ＯＭＡ−ＤＭプロトコルをサポートするＷｉ−Ｆｉアクセスポイント（ＡＰ）を探すことができる。Ｈｏｔｓｐｏｔ  ２．０，  ｒｅｌ．  ２，  ｖ１．０２において定義される従来の機構は、ブロードキャスト・メッセージ（例えば、ビーコン等）を介して前記ＯＭＡ−ＤＭプロトコルまたは前記ＳＯＡＰ−ＸＭＬプロトコルのいずれか（しかし両方ではない）のサポートを広告することをＷｉ−Ｆｉ  ＡＰに許可する。したがって、移動局が使用可能なＯＳＵプロトコルをサポートするＷｉ−Ｆｉ  ＡＰを識別するために、移動局は、Ｗｉ−Ｆｉホットスポット間をローミングする間、ブロードキャスト・メッセージを監視してもよい。しかしながら、ＯＭＡ−ＤＭおよびＳＯＡＰ−ＸＭＬプロトコルの両方をサポートするＷｉ−Ｆｉ  ＡＰは、例えば、前記Ｗｉ−Ｆｉ  ＡＰにＯＭＡ−ＤＭプロトコルまたは前記ＳＯＡＰ−ＸＭＬプロトコルのいずれか（しかし両方ではない）のサポートを広告することを可能にするＨｏｔｓｐｏｔ  ２．０，  ｒｅｌ．  ２，  ｖ１．０２において定義される前記従来の機構を使用する、前記Ｗｉ−Ｆｉ  ＡＰのＯＳＵ能力を完全に広告することができない。そのＯＭＡ−ＤＭ能力（および前述のＳＯＡＰ−ＸＭＬを使用可能な移動局）またはそのＳＯＡＰ−ＸＭＬ能力（および前述のＯＭＡ−ＤＭを使用可能な移動局）を広告することを選択することができる二重に構成されたＷｉ−Ｆｉ  ＡＰとして、これは非効率である。したがって、Ｗｉ−Ｆｉ  ＡＰがＯＭＡ−ＤＭおよびＳＯＡＰ−ＸＭＬプロトコルの両方のサポートを広告することを可能にするための機構が、望まれる。
【００１３】
本開示の態様は、ＯＳＵの前に、Ｗｉ−Ｆｉ  ＡＰが、そのＯＭＡ−ＤＭおよびＳＯＡＰ−ＸＭＬプロトコルの両方のサポートを広告することを可能にする技術を提供する。より具体的には、前記Ｗｉ−Ｆｉ  ＡＰは、前記Ｗｉ−Ｆｉ  ＡＰがＯＭＡ−ＤＭおよびＳＯＡＰ−ＸＭＬプロトコルの両方をサポートすることを示すＯＳＵ方法リストサブフィールドを含むメッセージをブロードキャストしてもよい。したがって、前記ブロードキャスト・メッセージを受信する移動局は、前記Ｗｉ−Ｆｉ  ＡＰがＯＭＡ−ＤＭおよびＳＯＡＰ−ＸＭＬプロトコルの両方をサポートすることを承認してもよい。前記ブロードキャスト・メッセージは、アクセス・ネットワーク・クエリ・プロトコル（ＡＮＱＰ）メッセージ、ビーコンメッセージ、または他の包括的アドバータイズメント・サービス（ＧＡＳ）メッセージであってもよい。前記ＯＳＵ方法リストサブフィールドは、プローブ応答に含まれてもよい。
【００１４】
本開示の追加の態様は、ＵＥ接続のためにネットワークオペレータによって優先されたＷＬＡＮを指定するＷＬＡＮアクセスタイプ指示を提供する。例えば、ＵＥは、複数のＷＬＡＮを有するカバレッジエリア内へローミングしてもよい。本明細書において提供される前記ＷＬＡＮアクセスタイプ指示は、前記ネットワークオペレータがＵＥ接続のために優先された前記ＷＬＡＮアクセスタイプ（例えば、パスポイント、非パスポイント、ベンダ指定等）を指定することを可能にする。前記ＷＬＡＮアクセスタイプ指示は、アクセスネットワーク発見および選択機能（ＡＮＤＳＦ）管理オブジェクト（ＭＯ）メッセージに含まれてもよい。
【００１５】
図１は、データ通信のためのネットワーク１００を図示する。前記ネットワーク１００は、カバレッジエリア１１２を有するアクセスポイント（ＡＰ）１１０、複数のユーザ機器（ＵＥ）１２０、およびバックホール・ネットワーク１３０を具備する。前記ＡＰ１１０は、特に、基地局、エンハンスド基地局（ｅＮＢ）、フェムトセル、および他のワイヤレスで使用可能なデバイスのような前記ＵＥ１２０とのアップリンク（破線）および／またはダウンリンク（点線）接続を確立することによってワイヤレスアクセスを提供することが可能ないずれかの構成要素を具備してもよい。前記ＵＥ１２０は、前記ＡＰ１１０とのワイヤレス接続を確立することが可能ないずれかの構成要素を具備してもよい。前記バックホール・ネットワーク１３０は、データが前記ＡＰ１１０とリモート側端点（図示せず）との間で交換されることを可能にする、いずれかの構成要素または構成要素の接続であってもよい。いくつかの実施形態において、前記ネットワーク１００は、リレー、フェムトセル等のような様々な他のワイヤレスデバイスを具備する。図２は、Ｗｉ−Ｆｉホットスポット２０および複数のサービス・プロバイダ・ネットワーク２０２を有するオンライン・サイン・アップ・アーキテクチャ２００を図示する。図示されるように。ユーザは、前記サービス・プロバイダ・ネットワーク２０２へアクセスするために前記Ｗｉ−Ｆｉホットスポット２０１を使用する。
【００１６】
図３は、Ｗｉ−Ｆｉ  ＡＰによって実行され得るワイヤレスネットワークにおけるユーザ・サブスクリプションおよびプロビジョニングを実施するための方法３００を図示する。図示されるように、前記方法３００は、前記Ｗｉ−Ｆｉ  ＡＰがＯＭＡ−ＤＭおよびＳＯＡＰ−ＸＭＬプロトコルの両方をサポートすることを示すＯＳＵ方法リストサブフィールドを、前記Ｗｉ−Ｆｉ  ＡＰが設定するステップ３１０から始まる。その後、前記方法３００は、前記Ｗｉ−Ｆｉ  ＡＰが前記ＯＳＵ方法リストサブフィールドを含むメッセージを１つ以上の移動局へ送信するステップ３２０へ進む。前記移動局は、前記ＯＳＵ方法リストサブフィールドを具備する前記メッセージを受信するに際し、前記Ｗｉ−Ｆｉ  ＡＰが、ＯＭＡ−ＤＭおよびＳＯＡＰ−ＸＭＬプロトコルの両方をサポートすることを承認してもよく、かつ前記プロトコルの１つを使用する前記Ｗｉ−Ｆｉ  ＡＰとＯＳＵプロシージャを開始するかリクエストするかを選んでもよい。いくつかの実施形態において、ステップ３２０において送信される前記メッセージは、アクセス・ネットワーク・クエリ・プロトコル（ＡＮＱＰ）メッセージ、ビーコンメッセージ、または包括的アドバータイズメント・サービス（ＧＡＳ）メッセージのようなブロードキャスト・メッセージである。別の実施形態において、ステップ３２０において送信される前記メッセージは、プローブ応答メッセージである。
【００１７】
図４は、移動局によって実施され得るワイヤレスネットワークにおいてユーザ・サブスクリプションおよびプロビジョニングを実施するための方法４００を図示する。図示されるように、前記方法４００は、前記移動局がＷｉ−Ｆｉ  ＡＰからＯＳＵ方法リストサブフィールドを含むメッセージを受信する、ステップ４１０から始まる。その後、前記方法４００は、ＯＳＵ方法リストサブフィールドにしたがって前記Ｗｉ−Ｆｉ  ＡＰがＯＭＡ−ＤＭおよびＳＯＡＰ−ＸＭＬプロトコルの両方をサポートすることを、前記移動局が決定するステップ４２０へ進む。前記メッセージは、ブロードキャスト・メッセージ（例えば、ＡＮＱＰメッセージ、ビーコンメッセージ、ＧＡＳメッセージ）、またはユニキャスト・メッセージ（例えば、プローブ応答メッセージ）である。図３−４は、Ｗｉ−Ｆｉ  ＡＰのＯＭＡ−ＤＭおよびＳＯＡＰ−ＸＭＬ広告能力の構成における前記ＯＳＵ方法リストサブフィールドを説明する。しかしながら、前記ＯＳＵ方法リストサブフィールドは、モバイルデバイスまたは他のデバイスの前記ＯＭＡ−ＤＭおよびＳＯＡＰ−ＸＭＬプロトコル能力を広告するためにいずれかのモバイルデバイス（例えば、移動局、リレー等）によって送信されてもよい。例として、移動局は、前記移動局がＯＭＡ−ＤＭおよびＳＯＡＰ−ＸＭＬを使用可能であることを伝送するために、ＯＳＵ方法リストサブフィールドを通信してもよい。別の例として、Ｗｉ−Ｆｉ  ＡＰは、前記Ｗｉ−Ｆｉ  ＡＰに接続されたポリシーサーバ（または、ポリシーサーバのグループ）がＯＭＡ−ＤＭおよびＳＯＡＰ−ＸＭＬプロトコルをサポートすることを伝送するために、前記ＯＳＵ方法リストサブフィールドを通信してもよい。
【００１８】
いくつかのネットワークにおいて、ＯＳＵサーバは、オンライン・サイン・アップのための１つのプロトコル（例えば、ＯＭＡ−ＤＭまたはＳＯＡＰ−ＸＭＬのいずれか）のみを提供することが可能であってもよく、したがって、ＯＭＡ−ＤＭ使用可能なモバイルデバイスおよびＳＯＡＰ−ＸＭＬを使用可能なモバイルデバイスの両方をサポートすることができなくてもよい。例えば、ＯＭＡ−ＤＭを提供するように構成されたＯＳＵは、ＳＯＡＰ−ＸＭＬを使用可能なモバイルデバイスをサポートすることができなくてもよく、同時にＳＯＡＰ−ＸＭＬを提供するように構成されたＯＳＵは、ＯＭＡ−ＤＭ使用可能なモバイルデバイスをサポートすることができなくてもよい。そのため、ＯＭＡ−ＤＭおよびＳＯＡＰ−ＸＭＬを使用可能なデバイスの両方を同時にサポートすることを可能にするための機構が望まれている。別の問題は、ポリシー・プロビジョニングのための方法に関して情報が無いことであり、これは、前記ポリシーサーバの能力と装置の能力とが一致しない限り問題がある。例えば、ポリシー・プロビジョニングのためのＯＭＡ−ＤＭを提供するポリシーサーバは、前記ＳＯＡＰ−ＸＭＬを使用可能なデバイスが前記ＯＳＵからサブスクリプションを得た後に、ポリシー情報をＳＯＡＰ−ＸＭＬを使用可能なデバイスへ提供することができなくてもよい。前記ポリシー情報を得ることなく、前記デバイスは、前記サービスへアクセスすることができなくてもよい。このように、ポリシーサーバからプロビジョニング情報を通信するための機構が望まれる。
【００１９】
本開示の態様は、サブスクリプションおよびポリシー情報のプロビジョニングの方法を提案する。いくつかの実施形態において、前記ＯＳＵサーバおよびポリシーサーバは、前記サーバが様々なセットのデバイス（例えば、異なる能力のデバイス）をサポートすることを可能にするサブスクリプションおよびポリシー・プロビジョニングのための複数のプロトコルをサポートしてもよい。いくつかの実施形態において、前記ＯＳＵ／ポリシーサーバによってサポートされる能力を指定する情報は、前記ネットワークからデバイスへ１つ以上のアクセス・ネットワーク・クエリ・プロトコル（ＡＮＱＰ）メッセージを介して送信される。
【００２０】
図５は、デバイス（例えば、Ｗｉ−Ｆｉ  ＡＰ、ポリシーサーバ、移動局等）のＯＳＵプロトコル能力を識別するための複数のＯＳＵ方法リストサブフィールド値を識別する表を図示する。図示されるように、値（Ｘ）は、ＯＭＡ−ＤＭおよびＳＯＡＰ−ＸＭＬプロトコルの両方のサポートを示すためのＯＳＵ方法リストサブフィールドに含まれてもよい。そのため、そのようなメッセージ（例えば、ＯＭＡ−ＤＭおよびＳＯＡＰ−ＸＭＬの両方がサポートされることを示す値を指定するＡＮＱＰメッセージ）を受信するデバイスは、ＯＭＡ−ＤＭプロトコルまたはＳＯＡＰ−ＸＭＬプロトコルのいずれかを使用する前記対応するＯＳＵサーバに接続することができる前記デバイスを決定してもよい。
【００２１】
実施形態において、ＯＳＵサーバは、前記デバイスからメッセージを受信するとき、前記デバイスによってサポートされる方法／プロトコルを指定してもよい。一般に、このメッセージは、前記ＯＳＵメッセージ交換の前記第１のメッセージであってもよい。前記ＯＳＵサーバは、前記メッセージのフォーマットおよび／または前記デバイスによって使用される方法／プロトコルを指示する前記メッセージにおけるインジケータにしたがって前記方法／プロトコルを識別してもよい。別の実施形態において、前記サーバは、事前のプロシージャ（例えば、ＡＮＱＰクエリ・メッセージ）を介して前記デバイスによってサポートされる方法／プロトコルを識別してもよい。
【００２２】
実施形態において、前記ＯＳＵサーバは、それがサポートするプロトコルに依存する異なる統一資源識別子（ＵＲＩ）を有してもよい。例えば、ＯＭＡ−ＤＭをサポートするＯＳＵサーバは、第１のＵＲＩ（ＵＲＩ−１）を使用してもよく、同時に、ＳＯＡＰ−ＸＭＬをサポートするＯＳＵサーバは、第２のＵＲＩ（ＵＲＩ−２）を使用してもよい。ＯＭＡ−ＤＭおよびＳＯＡＰ−ＸＭＬの両方をサポートするＯＳＵサーバは、異なるＵＲＩ（例えば、ＵＲＩ−Ｘ）を有してもよい。図６は、複数のＯＳＵサーバのプロトコル能力を広告するためのＯＳＵプロバイダ・フィールド６００を図示する。図示されるように、前記ＯＳＵプロバイダ・フィールド６００は、ＯＳＵサーバＵＲＩ２レングス・フィールド、ＯＳＵサーバＵＲＩ２フィールド（任意）、およびＯＳＵ方法２フィールド（任意）を含む。例えば、前記ＯＳＵサーバＵＲＩ  ２レングス・フィールドが０の値を有する時、任意と表示されたフィールドは、前記ＯＳＵプロバイダ・フィールド６００から省略／遮断されてもよい。
【００２３】
実施形態において、サブスクリプションは、プライバシー・プロビジョニングのための方法を含んでもよい。前記サブスクリプションは、使用されたプロトコルに依存する「Ｓｕｂｓｃｒｉｐｔｉｏｎ／Ｐｏｒｉｃｙ／Ｐｏｒｉｃｙ  Ｕｐｄａｔｅ／ＯＭＡ−ＤＭ／ＵＲＩ」、または、「Ｓｕｂｓｃｒｉｐｔｉｏｎ／  Ｐｏｒｉｃｙ／Ｐｏｒｉｃｙ  Ｕｐｄａｔｅ／ＳＯＡＰ−ＸＭＬ／ＵＲＩ，」として示されることができる。前記デバイスが、そのような情報を得た時、前記デバイスは、前記デバイスによってサポートされる前記プロトコルに基づく正しいＵＲＩへアクセスできる。前記サーバが、単一のＵＲＩに対する両方の方法／技術をサポートする場合、前記デバイスは、プライバシー・プロビジョニングのために使用される方法／プロトコルを決定するために前記サーバと交渉してもよい。実施形態において、前記ネットワークは、ＡＮＱＰメッセージ、ビーコンメッセージ、またはその他の包括的アドバータイズメント・サービス（ＧＡＳ）メッセージのような事前割り当てメッセージを介してプライバシー・プロビジョニング情報をデバイスへ提供してもよい。図７は、プライバシー・プロビジョニング方法フィールドを使用するＯＳＵサーバのプロトコル能力を広告するためのＯＳＵプロバイダ・フィールド７００を図示する。複数の実施形態において、前記ポリシー・プロビジョニング方法フィールドは、前述したものと同様の方法で前記プロトコル能力（例えば、ＯＭＡ−ＤＭおよび／またはＳＯＡＰ−ＸＭＬ）を識別してもよい。別の実施形態において、前記ポリシー・プロビジョニング方法フィールドは、前記ポリシー・プロビジョニング・プロトコルが前記ＯＳＵプロトコルと同じかどうかを指示してもよい。例えば、前記ポリシー・プロビジョニング方法／プロトコルが前記ＯＳＵプロトコルと同じであるとき、前記ポリシー・プロビジョニング情報は、０の値を指示してもよく、かつ、前記ポリシー・プロビジョニング方法／プロトコルが前記ＯＳＵプロトコルと異なるとき、１の値を指示してもよい。
【００２４】
前記ポリシー・プロビジョニング情報を受信するに際し、デバイスは、ポリシーサーバおよび／またはＷｉ−Ｆｉ  ＡＰによってサポートされるプロトコル能力かどうかを決定してもよい。その場合、前記デバイスは、対応するＯＳＵサーバへサインアップしてもよい。そうでない場合、前記デバイスは、プロトコル能力をサポートするサーバまたはＷｉ−Ｆｉ  ＡＰを探してもよい。
【００２５】
ポリシー・プロビジョニング情報は、独立したＡＮＱＰメッセージにおいて通信されてもよい。図８は、ホットスポット・ポリシー・プロバイダ・リスト・フォーマットを具備するＡＮＱＰメッセージ８００を図示し、一方で、図９は、ポリシー・プロバイダ・フィールド・フォーマットを具備するＡＮＱＰメッセージ９００を図示する。前記ＡＮＱＰメッセージ８００および９００は、Ｗｉ−Ｆｉ  ＡＰおよびＷｉ−Ｆｉ移動局（Ｗｉ−Ｆｉ  ＳＴＡ）の間で通信されてもよい。
【００２６】
Ｗｉ−Ｆｉアライアンスは、複数のＷＬＡＮを有するカバレッジエリア内へローミングする時に、二重または単一モードのＷｉ−Ｆｉデバイスが適切なＷＬＡＮを選択することを助けるためのＨｏｔｓｐｏｔ  ２．０仕様を定義する。いくつかの例において、署名された前記ＵＥへ、あるいはローミング関係を有する前記ＵＥによって、前記オペレータにより所有されるＷＬＡＮにアクセスすることは、前記ＵＥにとって有益であってもよい。本開示の態様は、前記ネットワークオペレータがＵＥ接続のために優先されたＷＬＡＮまたはＷＬＡＮアクセスタイプを指定することを可能にするために、ＡＮＤＳＦ管理オブジェクト（ＭＯ）においてＷＬＡＮアクセスタイプ指示を提供する。
【００２７】
前記Ｗｉ−Ｆｉアライアンスは、それらのネットワーク選択オペレータ・ポリシーを記憶および管理するためのＷＦＡ管理オブジェクト（ＭＯ）（サブスクリプションＭＯ）を定義する。３ＧＰＰは、固定ネットワークにおける前記ＷＬＡＮの決定および選択するために、モバイルデバイスに対していくつかの機構も定義する。１つの機構は、前記ユーザ機器（ＵＥ）におけるポリシーを静的に事前設定することである。別の機構は、前記ネットワーク内のアクセスネットワーク発見および選択機能（ＡＮＤＳＦ）サーバを介してポリシーを動的に供給することである。前記ポリシーは、ＡＮＤＳＦ  ＭＯを使用して動的に供給され、それによって前記サーバが前記オペレータのポリシーを記憶および管理することを可能にする。
【００２８】
図１０は、前記ネットワークからネットワーク選択ポリシーを取得するために、Ｓ１４インターフェース（例えば、ＩＰレベルシグナリングのためのインターフェース）を通してＡＮＤＳＦと相互作用するＵＥを図示する。前記ＵＥへ事前設定されるポリシーのための２つの方法が、通常存在する。前記第１の方法は、前記ＡＮＤＳＦサーバが前記ＵＥへポリシーをプッシュするプッシュ・モードであるとともに、前記第２の方法は、前記ＵＥが前記ＡＮＤＳＦサーバからポリシーをリクエストするプル・モードである。アクセスネットワーク選択の実施を助けるために前記ＵＥへ前記ＡＮＤＳＦサーバによって提供される情報の１つは、有効な状態、または提供されたポリシーが有効な時を指示する状態を含む、前記インター・システム・ルーティング・ポリシー（ＩＳＲＰ）情報である。フロー・モビリティ（ＩＦＯＭ）のために、前記有効な状態は、１つ以上のフィルタ・ルールを含んでもよく、前記フィルタ・ルールのそれぞれがＡＰＮ上のＩＰフィルタと一致したトラフィックをルートするために（有効な時に）前記ＵＥによって使用されることができるアクセス技術／アクセスネットワークの優先付けされたリストを識別する。フィルタ・ルールは、ＡＰＮ上の前記ＩＰフィルタと一致したトラフィックのための制限された無線アクセス技術またはネットワークも識別する。例えば、フィルタ・ルールは、所与のＡＰＮ上のリアル・タイム・トランスポート・プロトコル（ＲＴＰ）またはＲＴＰコントロール・プロトコル（ＲＴＣＰ）を使用する通信のトラフィック・フローのためにＷＬＡＮが許可されないことを指定してもよい。
【００２９】
現在、３ＧＰＰおよびＷｉ−Ｆｉアライアンスは、それら自身のネットワーク選択ポリシーを定義するために独立して動作する。３ＧＰＰにおけるポリシーの矛盾を回避するためのアラインメントエフォート（ａｌｉｇｎｍｅｎｔ  ｅｆｆｏｒｔ）が存在するが、それらは、未だに２つの独立した管理オブジェクト（ＭＯ）ポリシーおよび配送機構がそれら２つの独立組織によって開発されている。したがって、デバイスが、前記ＷＬＡＮ選択のための２つのタイプのＭＯを保存することと、両方のプロビジョニング機構をサポートすることとを必要とすることができる。例えば、ＵＥが訪れたネットワーク内にある時、前記ＵＥは、ＡＮＤＳＦを使用するそのオペレータ・ポリシーを得るためにホームＡＮＤＳＦ（Ｈ−ＡＮＤＳＦ）サーバおよび／または訪れたＡＮＤＳＦ（Ｖ−ＡＮＤＳＦ）サーバと接触することができる。図１１は、Ｈ−ＡＮＤＳＦサーバおよび／またはＶ−ＡＮＤＳＦサーバからオペレータ・ポリシーを得るＵＥを図示する。ＵＥが、Ｈ−ＡＮＤＳＦおよびＶ−ＡＮＤＳＦの両方からのオペレータ・ポリシーを有するとともに、前記２つのポリシーが矛盾する時、前記ＵＥは、参照によってその全体が再現されるように本明細書に取り込まれる３ＧＰＰ  Ｔｅｃｈｎｉｃａｌ  Ｓｐｅｃｉｆｉｃａｔｉｏｎ  （ＴＳ）  ２３．４０２において定義されるような前記訪れたオペレータ・ポリシーに従ってもよい。
【００３０】
さらに、前記Ｈｏｔｓｐｏｔ  ２．０の展開の後、同じエリアまたは同じネットワーク内にレガシー・アクセスポイント（ＡＰ）およびｈｏｔｓｐｏｔ  ２．０を有することができる。レガシーＡＰと比較して、Ｈｏｔｓｐｏｔ  ２．０は、通常、より強力なものであるとともに、顧客により高い品質のサービスを提供することができる。したがって、オペレータは、異なる顧客へ異なるサービスを提供することを望んでもよい。例えば、オペレータは、ｈｏｔｓｐｏｔ  ２．０に高ランクの顧客を提供するとともに、前記レガシーＡＰへ向かった低ランクの顧客によって干渉されることが無いことを保証することができる。現在のＡＮＤＳＦサーバまたは他のポリシーが、ネットワーク選択のためにそれら２つの異なるＷＬＡＮを識別することができない時、別の問題が発生する。
【００３１】
本開示の態様は、共存するＨｏｔｓｐｏｔ  ２．０および非ホットスポット・ネットワークをサポートするための機構を提供する。より具体的には、本開示の実施形態は、前記適切なＷｉ−Ｆｉ  ＡＰを正確に選択するとともに、前記訪れたネットワークから前記正しいネットワーク選択ポリシーを取得するためのモバイル端末をガイドおよび制御するためのネットワークのためのインジケータを提供する。実施形態は、前記ネットワークから前記への３つの新しいインジケータを生成する。第１の指示は、非３ＧＰＰ訪れたネットワークからより多くのネットワーク選択ポリシーを受信する必要があるかどうかを指示する。前記ネットワークからの第２の指示は、それがサポートする前記ポリシー提供機構を指示する。前記ネットワークからの第３の指示は、それがサポートする前記ポリシーサーバを指示する。本明細書において説明される実施形態は、ＡＮＤＳＦポリシー（例えば、非ホットスポット（ＨＳ）、ＨＳ、およびベンダ指定）のための新しいＷＬＡＮアクセスタイプ指示を生成するとともに、ＡＮＤＳＦ  ＭＯおよびＷＦＡ  ＭＯの間の提携を強化する。実施形態は、Ｗｉ−Ｆｉおよびセルラーネットワークの間のＵＥモビリティをより管制するオペレータを与えると同時に、より柔軟なオペレータと、ホットスポットおよびレガシーＡＰの間のユーザーモビリティのための管理能力とも提供する。本開示の態様は、また、より良いユーザ経験を提供するとともに、オペレータ収益を増やす。本開示の態様は、Ｗｉ−Ｆｉ、セルラーネットワーク、およびデバイス（例えば、Ｗｉ−Ｆｉアクセスポイント／アクセスコントローラ、Ｗｉ−Ｆｉプラス・セルラー・デュアルモード端末、ｈｏｔｓｐｏｔ  ２．０をサポートする端末、ＡＮＤＳＦサーバ、ＡＮＱＰサーバ等）に組みこまれると同時に、将来の３ＧＰＰ仕様書に採用されてもよい。
【００３２】
上述のように、Ｖ−ＡＮＤＳＦサーバが不足する限り、前記訪れたオペレータ・ネットワークがＷＦＡサーバを含みうるため、訪れたオペレータが、Ｗｉ−Ｆｉ  Ａｌｌｉａｎｃｅ（ＷＦＡ）ＭＯを含むＷｉ−Ｆｉサービスのみをサポートする場合、問題が発生しうる。前記問題に対処するために、本開示の態様は、追加のＷＦＡ特定ネットワーク選択ポリシーのために前記ＵＥが前記訪れたＷＬＡＮを調べる必要があるかどうかを指示するために、前記ＡＮＤＳＦ  ＭＯにインジケータを加える。例えば、ＡＮＤＳＦのネットワーク動作選択ポリシーにおいて、前記ＡＮＤＳＦサーバが前記ＵＥにＷＬＡＮの選択を提案する時、前記ＵＥがオペレータ・ポリシーのために前記ＷＦＡ  ＭＯを調べるべきかどうかを前記ＵＥに伝えるためのインジケータを使用する。
【００３３】
加えて、インジケータは、前記オペレータ（例えば、ＡＮＤＳＦサーバ、ＷＦＡサーバ等）によって提供されるプライバシー・プロビジョニング・サーバを指示すると同時に、前記ホットスポット（例えば、ＯＭＡ−ＤＭ、ＳＯＡＰ＿ＸＭＬ等）によってサポートされるポリシー提供機構を指示するためにＡＮＱＰまたはＨＳ２．０ビーコン信号（または、ＨＳ２．０プローブ応答レスポンス）に含まれる。この方法において、プロビジョニング能力が前記ネットワークへ所属するために使用されてもよいと同時に、前記端末は、プロビジョニング機構が、所与のネットワークのために使用可能であると知る。
【００３４】
現在のＡＮＤＳＦサーバまたは他のポリシーサーバがネットワーク選択のための２つ以上の異なるＷＬＡＮの間で識別することができない時、別の問題が発生する。この問題を取り扱うために、本開示の態様は、パスポイントＷＬＡＮ、非パスポイントＷＬＡＮ、ベンダ指定ＷＬＡＮ、およびその他のような、ＡＮＤＳＦおよびＨＳ２．０ポリシーにおけるＷＬＡＮのためのタイプ・アクセス・インジケータを生成する。Ｈｏｔｓｐｏｔ  ２．０使用可能ホットスポット（パスポイントＷＬＡＮ）および非ＨＳ２．０使用可能ホットスポットの両方が同じアクセス場所内に存在する場合、前記タイプアクセスは、前記オペレータがネットワーク選択のために異なるタイプのＷＬＡＮの間の選択を示すことを可能にする。ベンダ指定ＷＬＡＮは、オペレータ、またはベンダに特有の使用法（例えば、テスト、トライアル、独自の実施（ｐｒｏｐｒｉｅｔａｒｙ  ｉｍｐｌｅｍｅｎｔａｔｉｏｎ）など）のために使用されてもよい。
【００３５】
図１２は、上述の１つ以上のデバイス（例えば、ＵＥ、ＮＢ等）と等価な通信デバイス１２００の実施形態のブロック図を図示する。前記通信デバイス１２００は、プロセッサ１２０４、メモリ１２０６、セルラーインターフェース１２１０、追加のインターフェース１２１２、およびバックホールインターフェース１２１４を含んでもよく、それらは、図１２に図示されるように配置されてもよい（配置されなくてもよい）。前記プロセッサ１２０４は、計算および／または他の処理中の関連したタスクを実施することができるいずれかの構成要素であってもよく、かつ前記メモリ１２０６、プログラムおよび／または前記プロセッサ１２０４のための命令を記憶することができるいずれかの構成要素であってもよい。前記セルラーインターフェース１２１０は、前記通信デバイス１２００がセルラー信号を用いて通信することを可能にするいずれかの構成要素または構成要素の集合であるとともに、セルラーネットワークのセルラー接続上で情報を受信および／または送信するために使用されてもよい。前記追加のインターフェース１２１２は、前記通信デバイス１２００がデータを通信すること、または追加のプロトコルを介して情報を制御することを可能にするいずれかの構成要素または構成要素の集合であってもよい。例えば、前記追加のインターフェース１２１２は、ワイファイ（Ｗｉ−Ｆｉ）またはＢｌｕｅｔｏｏｔｈ（登録商標）プロトコルにしたがって通信するための非セルラー・ワイヤレス・インターフェースであってもよい。あるいは、前記追加のインターフェース１２１２は、ワイヤーライン・インターフェースであってもよい。前記バックホールインターフェース１２１４は、前記通信デバイス１２００へ任意選択で含まれるとともに、前記通信デバイス１２００がバックホール・ネットワークを介して別のデバイスと通信することを可能にするいずれかの構成要素または構成要素の集合を具備してもよい。
【００３６】
図１３は、本明細書に記載の前記デバイスおよび方法を実施するために使用されてもよい処理システムのブロック図である。特定のデバイスは、図示された構成要素全てまたは前記構成要素のサブセットのみを利用してもよく、かつ統合のレベルは、デバイスごとに変化してもよい。また、構成要素の複数の例（例えば、デバイスは、プロセッシングユニット、プロセッサ、メモリ、送信機、受信機等）を含んでもよい。処理システムは、スピーカ、マイクロフォン、マウス、タッチスクリーン、キーパッド、キーボード、プリンタ、ディスプレイ等のような１つ以上の入力／出力デバイスを備えるプロセッシングユニットを具備してもよい。前記プロセッシングユニットは、セントラル・プロセッシング・ユニット（ＣＰＵ）、メモリ、大容量記憶デバイス、ビデオアダプタ、およびバスに接続されたＩ／Ｏインターフェースを含んでもよい。
【００３７】
前記バスは、メモリバスまたはメモリコントローラ、周辺バス、またはビデオバス等を含むいくつかのバス構造の１つ以上のいずれかのタイプであってもよい。前記ＣＰＵは、いずれかのタイプの電子データプロセッサを具備してもよい。前記メモリは、スタティック・ランダム・アクセス・メモリ（ＳＲＡＭ）、ダイナミック・ランダム・アクセス・メモリ（ＤＲＡＭ）、シンクロナスＤＲＡＭ（ＳＤＲＡＭ）、リード・オンリー・メモリ（ＲＯＭ）、またはそれらの組み合わせ等のようないずれかのタイプのシステムメモリを具備してもよい。実施形態において、前記メモリは、ブートアップにおいて使用するためのＲＯＭと、プログラム実行中に使用するためのプログラムおよびデータ記憶のためのＤＲＡＭとを含む。
【００３８】
前記大容量記憶デバイスは、データ、プログラム、および他の情報を記憶するとともに、前記データ、プログラム、他の情報を前記バスを介してアクセス可能にするように構成されたいずれかのタイプの記憶デバイスを具備してもよい。前記大容量記憶デバイスは、例えば、１つ以上のソリッド・ステート・ドライブ、ハード・ディスク・ドライブ、磁気ディスク・ドライブ、または光学ディスク・ドライブ等を具備してもよい。
【００３９】
前記ビデオアダプタおよび前記Ｉ／Ｏインターフェースは、外部入力および出力デバイスを前記プロセッシングユニットへ結合するためのインターフェースを提供する。図示されるように、入力および出力デバイスの例は、前記ビデオアダプタに結合された前記ディスプレイと、前記Ｉ／Ｏインターフェースに結合された前記マウス／キーボード／プリンタとを含む。他のデバイスは、前記プロセッシングユニットへ結合されてもよく、追加の、またはより少ないインターフェース・カードが利用されてもよい。例えば、シリアル・インターフェース・カード（図示せず）は、プリンタのためのシリアル・インターフェースを提供するために使用されてもよい。
【００４０】
前記プロセッシングユニットは、イーサネット（登録商標）ケーブル等のような有線リンクおよび／またはアクセスノードまたは異なるネットワークへの無線リンクを具備する１つ以上のネットワーク・インターフェースも含んでもよい。前記ネットワーク・インターフェースは、前記プロセッシングユニットが前記ネットワークを介してリモートユニットと通信することを可能にする。例えば、前記ネットワーク・インターフェースは、１つ以上の送信機／送信アンテナおよび１つ以上の受信機／受信アンテナを介してワイヤレス通信を提供する。実施形態において、前記プロセッシングユニットは、データ処理と、他のプロセッシングユニット、インターネット、またはリモートストレージ施設等のようなリモートデバイスと通信と、のためにローカル・エリア・ネットワークまたはワイド・エリア・ネットワークに結合される。
【００４１】
したがって、本明細書において詳細に説明してきたが、添付された請求の範囲によって定義される本開示の精神および範囲から逸脱することなく、様々な変更、再構成、置換が行われ得ることが理解されるべきである。また、本開示の範囲は、本明細書において説明された具体的な実施形態に限定されることを意図していない。当業者は、本明細書で説明された対応する実施形態と同じ機能を実質的に実行する、または同じ結果を実質的に達成する、現存するか今後開発されるプロセス、機械、製品、合成物、手段、方法、またはステップが本開示から容易に理解しよう。したがって、添付された請求の範囲は、その範囲にこうしたプロセス、機械、製品、合成物、手段、方法、またはステップを含むことが意図されている。
【符号の説明】
【００４２】
１００  ネットワーク
１１２  カバレッジエリア
１３０  バックホール・ネットワーク
２００  オンライン・サイン・アップ・アーキテクチャ
２０１  ホットスポット
２０２  サービス・プロバイダ・ネットワーク
【図１】
2015521823.tif 000003
【図２】
2015521823.tif 000004
【図３】
2015521823.tif 000005
【図４】
2015521823.tif 000006
【図５】
2015521823.tif 000007
【図６】
2015521823.tif 000008
【図７】
2015521823.tif 000009
【図８】
2015521823.tif 000010
【図９】
2015521823.tif 000011
【図１０】
2015521823.tif 000012
【図１１】
2015521823.tif 000013
【図１２】
2015521823.tif 000014
【図１３】
2015521823.tif 000015
【手続補正書】
【提出日】平成27年2月5日(2015.2.5)
【手続補正１】
【補正対象書類名】特許請求の範囲
【補正対象項目名】全文
【補正方法】変更
【補正の内容】
【特許請求の範囲】
【請求項１】
ワイヤレスネットワークにおけるユーザ・サブスクリプションおよびプロビジョニングのための方法であって、前記方法は、
ワイファイ（Ｗｉ−Ｆｉ）アクセスポイント（ＡＰ）によって、１つ以上の移動局へプロトコル能力情報を具備するメッセージを伝送するステップを含み、
前記プロトコル能力情報が、前記１つ以上の移動局のためのネットワークアクセスを確立する時に、前記Ｗｉ−Ｆｉ  ＡＰが、オープン・モバイル・アライアンス−デバイス・マネジメント（ＯＭＡ−ＤＭ）プロトコルおよびシンプル・オブジェクト・アクセス・プロトコル−エクステンシブル・マークアップ・ランゲージ（ＳＯＡＰ−ＸＭＬ）プロトコルの両方を使用することが可能なことを示す、方法。
【請求項２】
前記プロトコル能力情報が、オンライン・サイン・アップ（ＯＳＵ）プロシージャ中に前記ＯＭＡ−ＤＭプロトコルと前記ＳＯＡＰ−ＸＭＬプロトコルとの両方のサポートをすることが可能な前記Ｗｉ−Ｆｉ  ＡＰを指定する、請求項１に記載の方法。
【請求項３】
前記プロトコル能力情報が、前記ＯＭＡ−ＤＭプロトコルと前記ＳＯＡＰ−ＸＭＬプロトコルとの両方に割り当てられた整数値を指定するＯＳＵサービス記述領域を具備する、請求項１に記載の方法。
【請求項４】
前記メッセージが、アクセス・ネットワーク・クエリ・プロトコル（ＡＮＱＰ）メッセージ、ビーコンメッセージ、包括的アドバータイズメント・サービス（ＧＡＳ）メッセージ、またはプローブ応答メッセージである、請求項１に記載の方法。
【請求項５】
前記Ｗｉ−Ｆｉ  ＡＰによって、前記ＯＭＡ−ＤＭプロトコルを使用する第１の移動局のための第１のＯＳＵプロシージャを実施するステップと、
前記Ｗｉ−Ｆｉ  ＡＰによって、前記ＳＯＡＰ−ＸＭＬプロトコルを使用する第２の移動局のための第２のＯＳＵプロシージャを実施するステップと、
をさらに含む、請求項１に記載の方法。
【請求項６】
前記第１の移動局が、ＳＯＡＰ−ＸＭＬ能力が不足している間、ＯＭＡ−ＤＭ能力を具備し、前記第２の移動局が、ＯＭＡ−ＤＭ能力が不足している間、ＳＯＡＰ−ＸＭＬ能力を具備する、請求項１に記載の方法。
【請求項７】
プロセッサと、
前記プロセッサによる実行のためのプログラムを記録するコンピュータ可読記憶媒体と、を具備し、
前記プログラムが、請求項１から６のいずれか１項に記載の方法におけるステップを実施するための命令を含む、ワイファイ（Ｗｉ−Ｆｉ）アクセスポイント（ＡＰ）。
【請求項８】
ワイヤレスネットワークにおけるユーザ・サブスクリプションおよびプロビジョニングのための方法であって、前記方法は、
移動局によってワイファイ（Ｗｉ−Ｆｉ）アクセスポイント（ＡＰ）からメッセージを受信するステップを含み、
前記メッセージが、前記１つ以上の移動局のためのネットワークアクセスを確立する時に、前記Ｗｉ−Ｆｉ  ＡＰが、オープン・モバイル・アライアンス−デバイス・マネジメント（ＯＭＡ−ＤＭ）プロトコルおよびシンプル・オブジェクト・アクセス・プロトコル−エクステンシブル・マークアップ・ランゲージ（ＳＯＡＰ−ＸＭＬ）プロトコルの両方を使用することが可能なことを示すプロトコル能力情報を含む、方法。
【請求項９】
前記プロトコル能力情報が、オンライン・サイン・アップ（ＯＳＵ）プロシージャ中に前記ＯＭＡ−ＤＭプロトコルと前記ＳＯＡＰ−ＸＭＬプロトコルとの両方のサポートをすることが可能な前記Ｗｉ−Ｆｉ  ＡＰを指定する、請求項８に記載の方法。
【請求項１０】
前記メッセージが、前記ＯＭＡ−ＤＭプロトコルと前記ＳＯＡＰ−ＸＭＬプロトコルとの両方に割り当てられた整数値を指定するＯＳＵサービス記述領域を具備する、請求項８に記載の方法。
【請求項１１】
前記メッセージが、アクセス・ネットワーク・クエリ・プロトコル（ＡＮＱＰ）メッセージ、ビーコンメッセージ、包括的アドバータイズメント・サービス（ＧＡＳ）メッセージ、またはプローブ応答メッセージである、請求項８に記載の方法。
【請求項１２】
プロセッサと、
前記プロセッサによる実行のためのプログラムを記録するコンピュータ可読記憶媒体と、を具備し、
前記プログラムが、請求項８から１１のいずれか１項に記載の方法におけるステップを実施するための命令を含む、
移動局。
【請求項１３】
Ｗｉ−Ｆｉローカル・エリア・ネットワーク（ＷＬＡＮ）発見のための方法であって、前記方法は、
前記ＵＥが、カバレッジエリア内へローミングする時、ワイファイ（Ｗｉ−Ｆｉ）アクセスポイント（ＡＰ）によって、アクセスネットワーク発見および選択機能（ＡＮＤＳＦ）管理オブジェクト（ＭＯ）をユーザ機器（ＵＥ）へ送信するステップを含み、
複数のＷＬＡＮが、前記カバレッジエリアにおいてアクセス可能であり、かつ、
前記ＡＮＤＳＦ  ＭＯが、ＵＥ接続のためにネットワークオペレータによって優先された少なくとも１つのタイプのＷＬＡＮを指定するＷＬＡＮアクセスタイプ指示を含む、方法。
【請求項１４】
パスポイントＷＬＡＮおよび非パスポイントＷＬＡＮが、前記カバレッジエリアにおいてアクセス可能であり、かつ、前記ＷＬＡＮアクセスタイプ指示が、前記ネットワークオペレータによって優先された前記パスポイントＷＬＡＮ、または、前記ネットワークオペレータによって優先された前記非パスポイントＷＬＡＮを指定する、請求項１３に記載の方法。
【請求項１５】
複数のベンダ指定ＷＬＡＮが、前記カバレッジエリアにおいてアクセス可能であり、かつ、前記ＷＬＡＮアクセスタイプ指示が、前記ネットワークオペレータによって優先されたベンダ指定ＷＬＡＮを指定する、請求項１３に記載の方法。
【請求項１６】
前記ＷＬＡＮアクセスタイプ指示が、異なるＷＬＡＮタイプに対して異なる優先度を指定する、請求項１３に記載の方法。
【請求項１７】
プロセッサと、
前記プロセッサによる実行のためのプログラムを記録するコンピュータ可読記憶媒体と、を具備し、
前記プログラムが、請求項１３から１６のいずれか１項に記載の方法におけるステップを実施するための命令を含む、
ワイファイ（Ｗｉ−Ｆｉ）アクセスポイント（ＡＰ）。
【国際調査報告】
2015521823.tif 000016
2015521823.tif 000017
2015521823.tif 000018